(57)【要約】【課題】  省スペースに折り畳める折畳式置き台を提供する。【解決手段】  支持装置と、少なくとも１つの台板と、夫々、前記支持装置に枢設される近位端と、遠位端と、前記少なくとも１つの台板に結合される上部とを有する複数の支持プレートと、夫々前記複数の支持プレートに対応するように、前記支持装置における夫々前記複数の支持プレートの下方に取り付けられ、２つの側壁と、夫々該２つの側壁に形成される２つの長穴とを有する複数の支持部材と、夫々、前記支持プレートの近位端と遠位端の間に枢着される第一端と、前記長穴に沿って褶動可能に前記支持部材に枢設される第二端とを有する複数の枢支部材と有することを特徴とする。【選択図】  図１
2012165664.tif 000002
【特許請求の範囲】
【請求項１】
支持装置と、
少なくとも１つの台板と、
夫々、前記支持装置に枢設される近位端と、遠位端と、前記少なくとも１つの台板に結合される上部とを有する複数の支持プレートと、
夫々前記複数の支持プレートに対応するように、前記支持装置における夫々前記複数の支持プレートの下方に取り付けられ、２つの側壁と、夫々該２つの側壁に形成される２つの長穴とを有する複数の支持部材と、
夫々、前記支持プレートの近位端と遠位端の間に枢着される第一端と、前記長穴に沿って褶動可能に前記支持部材に枢設される第二端とを有する複数の枢支部材と有することを特徴とする折畳式置き台。
【請求項２】
前記支持装置は、複数の主要脚部と、夫々前記複数の主要脚部を枢支する複数の副脚部と、前記複数の主要脚部を連結させる少なくとも１つの主要連結部材と、前記複数の副脚部を連結させる少なくとも１つの副連結部材とを有する折り畳み可能なものであり、
各前記枢支部材は、プレート状を呈し、
各前記枢支部材の第二端には、前記支持部材の長穴に対応するスリーブが取り付けられ、
前記折畳式置き台は、さらに、夫々前記少なくとも１つの台板に対応する少なくとも１つの連結ロッドを有し、
各前記連結ロッドは、各台板と結合される支持プレートに枢着される枢支部材のスリーブに挿設され、前記枢支部材の第二端を前記長穴に沿って褶動可能に前記支持部材に枢設させるように、各台板と結合される支持プレートに対応する前記支持部材の長穴を通過することを特徴とする請求項１に記載の折畳式置き台。
【請求項３】
前記支持装置は、前記複数の副脚部の一端を夫々前記複数の主要脚部の両端の間に回動可能に枢着させる複数の保持部材と、突出状の取っ手を具備する、前記副脚部を前記主要脚部に対して回動させるためのすくなくとも１つの制御部材と、夫々前記主要脚部に形成される複数の固定孔と有し、
各前記支持プレートは、前記近位端に延設される枢着板と、前記枢着板に結合され、底部に枢着軸が形成すると共に、該枢着軸の上方に枢着孔が形成される固定プレートと、前記固定プレートを前記支持装置に枢着させるための枢着フックとを有し、
前記枢着フックは、前記枢着孔に挿設され、前記支持装置に固定される固定端部と、前記枢着軸を収容する収容部と、前記固定孔に挿設される挿設端部とを有することを特徴とする請求項２に記載の折畳式置き台。
【発明の詳細な説明】
【技術分野】
【０００１】
本発明は、特に省スペースに折り畳める、例えばガーデニング道具や鉢などを載置するための折畳式置き台に関する。
【背景技術】
【０００２】
例えば特許文献１に示すように、従来の置き台は、例えばガーデニング道具や鉢などを載置するためのものである。
【先行技術文献】
【特許文献】
【０００３】
【特許文献１】特開2001-238543
【発明の概要】
【発明が解決しようとする課題】
【０００４】
しかしながら、上記の従来の置き台は、固定式のものであり、使用条件に対応するために一部を折り畳むことができないのみならず、不用の時でも既定のスペースを占め、簡単に収納することができないので、非常に不便であった。
【０００５】
そこで、出願されたのが本発明であって、省スペースに折り畳める折畳式置き台を提供することを目的としている。
【課題を解決するための手段】
【０００６】
本願の請求項１の発明は、支持装置と、
少なくとも１つの台板と、
夫々、前記支持装置に枢設される近位端と、遠位端と、前記少なくとも１つの台板に結合される上部とを有する複数の支持プレートと、
夫々前記複数の支持プレートに対応するように、前記支持装置における夫々前記複数の支持プレートの下方に取り付けられ、２つの側壁と、夫々該２つの側壁に形成される２つの長穴とを有する複数の支持部材と、
夫々、前記支持プレートの近位端と遠位端の間に枢着される第一端と、前記長穴に沿って褶動可能に前記支持部材に枢設される第二端とを有する複数の枢支部材と有することを特徴とする折畳式置き台、を提供する。
【０００７】
本願の請求項２の発明は、前記支持装置は、複数の主要脚部と、夫々前記複数の主要脚部を枢支する複数の副脚部と、前記複数の主要脚部を連結させる少なくとも１つの主要連結部材と、前記複数の副脚部を連結させる少なくとも１つの副連結部材とを有する折り畳み可能なものであり、
各前記枢支部材は、プレート状を呈し、
各前記枢支部材の第二端には、前記支持部材の長穴に対応するスリーブが取り付けられ、
前記折畳式置き台は、さらに、夫々前記少なくとも１つの台板に対応する少なくとも１つの連結ロッドを有し、
各前記連結ロッドは、各台板と結合される支持プレートに枢着される枢支部材のスリーブに挿設され、前記枢支部材の第二端を前記長穴に沿って褶動可能に前記支持部材に枢設させるように、各台板と結合される支持プレートに対応する前記支持部材の長穴を通過することを特徴とする請求項１に記載の折畳式置き台、を提供する。
【０００８】
本願の請求項３の発明は、前記支持装置は、前記複数の副脚部の一端を夫々前記複数の主要脚部の両端の間に回動可能に枢着させる複数の保持部材と、突出状の取っ手を具備する、前記副脚部を前記主要脚部に対して回動させるためのすくなくとも１つの制御部材と、夫々前記主要脚部に形成される複数の固定孔と有し、
各前記支持プレートは、前記近位端に延設される枢着板と、前記枢着板に結合され、底部に枢着軸が形成すると共に、該枢着軸の上方に枢着孔が形成される固定プレートと、前記固定プレートを前記支持装置に枢着させるための枢着フックとを有し、
前記枢着フックは、前記枢着孔に挿設され、前記支持装置に固定される固定端部と、前記枢着軸を収容する収容部と、前記固定孔に挿設される挿設端部とを有することを特徴とする請求項２に記載の折畳式置き台、を提供する。
【発明の効果】
【０００９】
本発明の折畳式置き台は、前記支持プレートと台板を折り畳み、省スペース効果を発揮することができ、不用の時、さらに前記副脚部を主要脚部に対して回転させ、該支持装置を折り畳むと、さらなる省スペース効果を発揮することができるので、利便性を大幅に向上させることができる。
【図面の簡単な説明】
【００１０】
【図１】本発明に係る折畳式置き台の斜視図である。
【図２】本発明に係る折畳式置き台の分解斜視図である。
【図３】本発明に係る折畳式置き台の側面部分断面図である。
【図４】本発明に係る折畳式置き台の使用状態を示す一部側面部分断面図である。
【図５】本発明に係る折畳式置き台の使用状態を示す一部側面部分断面図である。
【図６】本発明に係る折畳式置き台の使用状態を示す斜視図である。
【図７】本発明に係る折畳式置き台の使用状態を示す側面図である。
【図８】本発明に係る折畳式置き台の使用状態を示す斜視図である。
【図９】本発明に係る折畳式置き台の使用状態を示す側面図である。
【図１０】本発明に係る折畳式置き台の使用状態を示す斜視図である。
【図１１】本発明に係る折畳式置き台の使用状態を示す側面図である。
【発明を実施するための形態】
【００１１】
以下、添付図面を参照して本発明の好適な実施の形態を詳細に説明する。
【００１２】
図１及び図２に示すように、本発明に係る折畳式置き台は、支持装置１０と、例えばアルミニウムまたはアルミニウム合金からなる少なくとも１つの台板５０と、複数の支持プレート２０と、複数の支持部材３０と、複数の枢支部材４０とを有する。
【００１３】
各前記支持プレート２０は、近位端２１と、遠位端２２と、前記少なくとも１つの台板５０に結合される上部２３とを有し、前記近位端２１は、前記支持装置１０に枢設される。即ち、前記少なくとも１つの台板５０は、前記支持プレート２０の上部２３に設置されるものである。
【００１４】
前記複数の支持部材３０は、夫々前記複数の支持プレート２０に対応するように、前記支持装置１０における夫々前記複数の支持プレート２０の下方に例えばリベットまたはねじなど手段により取り付けられ、各前記支持部材３０は、２つの側壁３２と、夫々該２つの側壁３２に形成される２つの長穴３３とを有する。
【００１５】
前記複数の枢支部材４０は、夫々前記複数の支持プレート２０と夫々該複数の支持プレート２０に対応する複数の支持部材３０との間に枢設され、各前記枢支部材４０は、前記支持プレート２０の近位端２１と遠位端２２の間に枢着される第一端と、前記支持部材３０の長穴３３に沿って褶動可能に前記支持部材３０に枢設される第二端とを有する。
【００１６】
本発明に係る折畳式置き台は、夫々前記少なくとも１つの台板５０に対応する少なくとも１つの連結ロッド６０を有してもよい。
さらに図３に示すように、前記支持装置１０は、複数の主要脚部１１と、夫々前記複数の主要脚部を枢支する複数の副脚部１２と、前記複数の主要脚部１１を連結させる少なくとも１つの主要連結部材１３と、前記複数の副脚部１２を連結させる少なくとも１つの副連結部材１４とを有する折り畳み可能なものであり、本実施例において、前記支持装置１０は、２つの主要脚部１１と、夫々前記２つの主要脚部１１を枢支する２つの副脚部１２と、前記２つの主要脚部１１を連結させる２つの主要連結部材１３と、前記２つの副脚部１２を連結させる１つの副連結部材１４とを有し、前記主要脚部１１には、正面１１２と、側面１１３とが形成され、前記副脚部１２には、側面１２３が形成される。各主要脚部１１の正面１１２には、夫々３つの支持プレート２０が枢設されると共に、該３つの支持プレート２０に対応する３つの支持部材が取り付けられる。また、前記１つの主要脚部１１の正面１１２に枢設される３つの支持プレート２０と、もう１つの主要脚部１１の正面１１２に枢設される３つの支持プレート２０とは、夫々互いに対応する高度に位置するものである。
【００１７】
本実施例においては、３つの台板５０を有し、夫々前記２つの主要脚部１１に枢設される、互いに対応する高度に位置する２つの支持プレート２０の上部２３と、前記台板５０とは、例えばねじなど螺合手段により結合される。
【００１８】
各前記枢支部材４０は、プレート状を呈し、各前記枢支部材４０の第二端には、前記支持部材３０の長穴３３に対応するスリーブ４３が取り付けられる。
【００１９】
本実施例においては、夫々前記３つの台板５０に対応する３つの連結ロッド６０を有し、各前記連結ロッド６０は、各台板５０と結合される支持プレート２０に枢着される枢支部材４０のスリーブ４３に挿設され、前記枢支部材４０の第二端を前記長穴３３に沿って褶動可能に前記支持部材３０に枢設させるように、各台板５０と結合される支持プレート２０に対応する前記支持部材３０の長穴３３を通過する。前記連結ロッド６０により、各台板５０と結合される支持プレート２０に枢着される前記枢支部材４０を連動的に前記長穴３３に沿って褶動させることができるので、使用上の利便性を向上させることができる。
【００２０】
また、本実施例において、前記支持装置１０は、前記複数の副脚部１２の一端を夫々前記複数の主要脚部１１の両端の間に回動可能に枢着させる複数の保持部材１５と、突出状の取っ手１６１を具備する、前記副脚部１２を前記主要脚部１１に対して回動させるためのすくなくとも１つの制御部材１６と、夫々前記主要脚部１１に形成される複数の固定孔１７と有する。前記保持部材１５は、前記主要脚部１１の側面１１３及びこの主要脚部１１を枢支する副脚部１２の側面１２３に取り付けられる。該保持部材１５を回動軸として、前記副脚部１２を前記主要脚部１１に接近させるように回動させると、前記支持装置１０を折り畳むことができ、前記副脚部１２が前記主要脚部１１から離れるように前記副脚部１２を回動させると、前記支持装置１０を展開させることができる。
【００２１】
前記突出状の取っ手１６１を具備する制御部材１６によれば、便利に前記副脚部１２を回動させる操作を行うことができる。該制御部材１６の構造は周知技術であるので、詳細な説明を省略する。
【００２２】
なお、各前記支持プレート２０は、前記近位端２１に延設される枢着板２４と、前記枢着板２４に例えばリベットまたはねじなど手段により結合され、底部に枢着軸２５２が形成すると共に、該枢着軸２５２の上方に枢着孔２５１が形成される固定プレート２５と、前記固定プレート２５を前記支持装置１０に枢着させるための枢着フック２６とを有する。
【００２３】
さらに図４に示すように、前記枢着フック２６は、前記枢着孔２５１に挿設され、例えばリベットまたはねじなど手段により前記支持装置１０固定される固定端部２６１と、前記枢着軸２５２を収容する収容部２６２と、前記固定孔１７に挿設される挿設端部２６３とを有する。これにより、簡単かつ低コストに前記支持プレート２０を前記支持装置１０の主要脚部１１に枢着させることができる。
【００２４】
図５に示すように、前記枢支部材４０の第二端を前記長穴３３に沿って褶動させ、前記支持プレート２０の遠位端２２を前記支持装置１０に接近させるように、前記支持装置１０の主要脚部１１に枢着される前記支持プレート２０及び該支持プレート２０に設置される台板５０を回動させると、前記支持プレート２０及び該支持プレート２０に設置される台板５０を折り畳むことができる。
【００２５】
また、本実施例においては、例えば図６乃至図９に示すように、夫々２つの前記支持プレート２０に設置される３つの台板５０を選択的に折り畳むまたは展開させることができるので、多様な状態に対応し使用することができる。
【００２６】
さらに、図１０及び図１１に示すように、全部の前記支持プレート２０及び該支持プレート２０に設置される台板５０を折り畳むと共に、前記支持装置１０の副脚部１２を回動させ、前記支持装置１０をも折り畳むと、本発明に係る折畳式置き台を収納に好適な扁平状の折り畳み状態にすることができる。
【産業上の利用可能性】
【００２７】
上述した通り、本発明の折畳式置き台は、前記支持プレートと台板を選択的に折り畳み、多様な使用状態に対応すると共に、省スペース効果を発揮することができるのみならず、前記主要脚部と副脚部とからなる支持装置を用いる実施形態において、該副脚部を主要脚部に対して回転させ、該支持装置をさらに折り畳めば、さらに省スペース効果を発揮し、収納に好適な折り畳み状態にすることができるので、従来のものより利便性を大幅に向上させることができる。
【符号の説明】
【００２８】
１０      支持装置
１１      主要脚部
１１２    主要脚部の正面
１１３    主要脚部の側面
１２      副脚部
１２３    副脚部の側面
１３      主要連結部材
１４      副連結部材
１５      保持部材
１６１    取っ手
１６      制御部材
１７      固定孔
２０      支持プレート
２４      枢着板
２５      固定プレート
２５１    枢着孔
２５２    枢着軸
２６      枢着フック
２６１    固定端部
２６２    収容部
２６３    挿設端部
３０      支持部材
３２      側壁
３３      長穴
４０      枢支部材
４３      スリーブ
５０      台板
６０      連結ロッド
【図１】
2012165664.tif 000003
【図２】
2012165664.tif 000004
【図３】
2012165664.tif 000005
【図４】
2012165664.tif 000006
【図５】
2012165664.tif 000007
【図６】
2012165664.tif 000008
【図７】
2012165664.tif 000009
【図８】
2012165664.tif 000010
【図９】
2012165664.tif 000011
【図１０】
2012165664.tif 000012
【図１１】
2012165664.tif 000013